(57)【要約】      （修正有）【課題】長期間使用してもクラック等の発生が少なく、改装の際に廃棄物を出さずに塗装による再使用が可能であり、しかもマイナスイオンを豊富に発生する内装材を提供する。【解決手段】接合部にテーパー部４を形成して構成された複数の石こうボードからなる基材と、該テーパー部を充填する第一の塗布層６と、該第一の塗布層表面の前記接合部に相当する位置に平行して貼着されたジョイントテープ７と、該ジョイントテープと前記第一の塗布層の上部に形成され前記テーパー部をさらに充填する第二の塗布層８と、該第二の塗布層の上部に形成され前記テーパー部を完全に充填し表面に微細凹凸形状１０を形成された第三の塗布層９と、該第三の塗布層と前記基材の上部に形成されトルマリン微粉末１１が混入された第四の塗布層１２とから構成される。【選択図】図１
0003109156.tif 000002
【実用新案登録請求の範囲】
【請求項１】
接合部にテーパー部を形成して構成された複数の石こうボードからなる基材と、前記テーパー部を充填する第一の塗布層と、該第一の塗布層表面の前記接合部に相当する位置に貼着されたジョイントテープと、該ジョイントテープと前記第一の塗布層の上部に形成され前記テーパー部をさらに充填する第二の塗布層と、該第二の塗布層の上部に形成され前記テーパー部を完全に充填し表面に微細凹凸形状を形成された第三の塗布層と、該第三の塗布層と前記基材の上部に形成されトルマリン微粉末が混入された第四の塗布層とから構成された内装材。
【請求項２】
前記第四の塗布層は、炭酸カルシウムを主成分としアタパルジャイト等を含む水溶性塗布材にトルマリン微粉末が混入されたものであることを特徴とする請求項１記載の内装材。
【請求項３】
前記第四の塗布層に混入されたトルマリン微粉末は粒径２μｍ〜１０μｍであることを特徴とする請求項１又は２記載の内装材。
【考案の詳細な説明】
【技術分野】
【０００１】
本考案は、内装材に関し、とくにマイナスイオンを発生するトルマリン（電気石）微粉末が混入された塗布層を有する内装材に関するものである。
【背景技術】
【０００２】
近年の一般住宅に使用されている建材や内装材は、気密性や断熱性が重視されるため、それに伴い前記建材や内装材に含まれる化学物質から放出される揮発性有機化合物（ＶＯＣ）によって住宅内の空気が汚染され、各種のアレルギー症やシックハウス症候群を生じ問題視されている。また、内装材の表面に使用されているビニルクロス等は、改装の際に産業廃棄物として処分する必要があり、資源のリサイクルの面においても見直しが必要となっている。
【０００３】
これら問題点を解決するため、固化剤を含む珪藻土が８０重量％、沸石が１７重量％、粉末状組成物が３重量％であることを特徴とする健康住宅用壁材が提案されている（特許文献１参照。）。また、塗料又は薬剤にトルマリン及び酸化チタンを適量添加した構成から成る塗布材を塗布して塗布層を設けて成る塗布製品も提案されている（特許文献２参照。）。
【０００４】
【特許文献１】特開２００４−８３３３３３号公報
【特許文献２】実願平０８−１３７８２号公報
【考案の開示】
【考案が解決しようとする課題】
【０００５】
しかし、上記の特許文献１に記載されている健康住宅用壁材の場合、壁材の主成分として珪藻土を使用し構成しているため、調湿作用や消臭作用に優れるものの、資材コストが高価であり、しかも長期間使用すると壁面表面に亀裂が生じる惧れがある。
【０００６】
また、上記の特許文献２に記載されている塗布製品は、従来の塗料や薬剤にトルマリン及び酸化チタンを適量添加して使用するものであり、前記塗料や薬剤に含まれる化学物質から放出される揮発性有機化合物を完全には防ぐことはできないものである。
【０００７】
本考案は、上記問題点に鑑みなされたものであり、住宅用の内装材として資材コストが安く、長期間使用しても内装材表面に亀裂などが生じることがほとんどなく、且つ亀裂の補修作業においても部分的な上塗りによる補修が可能であり、またビニルクロスを使用しないため産業廃棄物としての処理が不要で、そして揮発性有機化合物の発生が極めて少なく、しかもマイナスイオンを数多く発生する内装材を提供することを目的とするものである。
【課題を解決するための手段】
【０００８】
このため本考案は、接合部にテーパー部を形成して構成された複数の石こうボードからなる基材と、前記テーパー部を充填する第一の塗布層と、該第一の塗布層表面の前記接合部に相当する位置に貼着されたジョイントテープと、該ジョイントテープと前記第一の塗布層の上部に形成され前記テーパー部をさらに充填する第二の塗布層と、該第二の塗布層の上部に形成され前記テーパー部を完全に充填し表面に微細凹凸形状を形成された第三の塗布層と、該第三の塗布層と前記基材の上部に形成されトルマリン微粉末が混入された第四の塗布層とから構成されたことを第１の特徴とする。
【０００９】
また、前記第四の塗布層は、炭酸カルシウムを主成分としアタパルジャイト等を含む水溶性塗布材にトルマリン微粉末が混入されたものであることを第２の特徴とする。
【００１０】
そして、前記第四の塗布層に混入されたトルマリン微粉末は粒径２μｍ〜１０μｍであることを第３の特徴とする。
【考案の効果】
【００１１】
本考案の内装材は、以上のように構成されているので次のような優れた効果を有する。
（１）炭酸カルシウムを主成分とする水溶性塗布材によって塗布層が構成されているため資材コストが安いという効果がある。
（２）基材が複数の石こうボードで構成され、しかも接合部がテーパー部を形成し、該テーパー部は塗布層により完全に充填されているため、接合強度が高く、内装材表面に亀裂が生じにくいという効果がある。
（３）内装材表面にビニルクロス等を使用しないため改装の際に廃棄物が出ず、また内装材の表面に水溶性の塗装材を直接塗装することができるため、塗装によって容易に改装ができるという優れた効果がある。
（４）粒径が２μｍ〜１０μｍのトルマリン微粉末とアタパルジャイトが混入されているため、吸放湿性を有しマイナスイオンが豊富に発生しやすいという効果がある。
【考案を実施するための最良の形態】
【００１２】
以下、本考案の実施の形態を、図面に示す実施例に基づいて説明するが、本考案が本実施例に限定されないことは言うまでもない。図１は、本考案に係る内装材の一実施例を示す部分破断説明図、図２は本考案に係る内装材の一実施例を示す説明断面図である。
【実施例】
【００１３】
図１、図２に示すように、本考案の内装材１は、テーパー部４を有する複数の石こうボード２がスクリュービス等（図示せず）によって木材などの下地材（図示せず）に訂着され、接合部３にて接合され基材５を形成している。テーパー部４には下塗りコンパウンドがコテ等により充填され下塗り層６とされ、さらに紙製のジョイントテープ７が接合部３に沿って下塗り層６の表面に貼着され石こうボード２の接合強度を強化している。次に中塗りコンパウンドからなる中塗り層８及び上塗りコンパウンドからなる上塗り層９がコテ等によって下塗り層６及びジョイントテープ７の上部に順に形成され、さらにサンドペーパー等によって上塗り層９の表面に微細な凹凸部１０が形成され、後述する仕上げ塗り層との密着強度を強化する。そしてトルマリン微粉末１１が混入された水溶性塗布材からなる仕上げ塗り層１２が基材５の表面全面にコーター等によって塗布され仕上げられている。ここで前記下塗りコンパウンド、中塗りコンパウンド、上塗りコンパウンド、水性塗布材は炭酸カルシウムを主成分とする水溶性塗布材が望ましく、本実施例においてはハミルトン社製ドライウォールコンパウンドを使用した。またトルマリン微粉末はショールトルマリン原石を粉砕し平均粒度４μｍのものを使用した。
【００１４】
接合部３は、ジョイントテープ７及び下塗り層６によって確実に接合されているため、経年変化や振動による仕上げ塗布層１２の亀裂等を防止することができる。また、上記の炭酸カルシウムを主成分とする水溶性塗布材は珪藻土を主成分とする壁材と比較し安価であり、しかも揮発性有機化合物（ＶＯＣ）等を発生することも無い。
【００１５】
仕上げ塗り層１２は、表面に水溶性の塗料による塗装が容易であり、改装の際に水溶性塗料による塗り替えが可能となるため、好みに応じた色彩やデザインが可能であり、しかもビニルクロス等を使用していないため廃棄物処理も必要としない。
【００１６】
さらに、粒径が２μｍ〜１０μｍのトルマリン微粉末１１とアタパルジャイトが混入された水溶性塗布材が使用され、内装材１の仕上げ塗り層１２が形成されているため、内装材１表面から豊富なマイナスイオンが放出される。しかもアタパルジャイトによって吸放湿がなされているため内装材表面の結露等が防止できる。
【００１７】
次に、本考案による内装材から放出されるマイナスイオン発生状況を確認した。
方法：
プラスターボード（９００ｍｍ×６００ｍｍ）にトルマリン微粉末を混入させたドライウォールコンパウンドを塗布して検体を得た。ドライウォールコンパウンドへのトルマリン微粉末の混入量は１０００重量部に対し０、３、５、１０重量部とした。検体を６畳の和室中央のテーブル上に置き、空気イオンカウンタ（ＩＴＣ−２０１Ａ：アンデス電気社製）で測定を行なった。その結果を表１に示す。
【００１８】
【表１】
0003109156.tif 000003
【００１９】
表１に示すように、トルマリン微粉末を混入させたドライウォールコンパウンドからマイナスイオンが数多く発生することが確認され、特に混入量として３重量部のものが最も多くマイナスイオンを発生することが確認された。
【００２０】
以上、本考案による内装材によれば、炭酸カルシウムを主成分とする水溶性塗布材によって塗布層が構成されているため資材コストが安く、長期間の使用による亀裂等が発生せず、また改装の際に廃棄物を出さずに塗装による再使用が可能であり、しかもトルマリン微粉末によってマイナスイオンを豊富に発生することができ快適な住環境を提供できる。
【図面の簡単な説明】
【００２１】
【図１】本考案に係る内装材の一実施例を示す部分破断説明図である。
【図２】本考案に係る内装材の一実施例を示す説明断面図である。
【符号の説明】
【００２２】
１          内装材
２          石こうボード
３          接合部
４          テーパー部
５          基材
６          下塗り層
７          ジョイントテープ
８          中塗り層
９          上塗り層
１０          凹凸部
１１          トルマリン微粉末
１２          仕上げ塗り層
【図１】
0003109156.tif 000004
【図２】
0003109156.tif 000005